(57)【特許請求の範囲】
【請求項１】
受信信号から記号を検知する方法であって、該記号は所定の記号のセットから選択された記号であり、該所定のセットの各記号はチップのシーケンスを含むＣＣＫ記号であり、各チップは選択された変調コードによってＰＳＫ変調されており、各々の選択された変調コードは所定の位相変調要素の複数の第１のセットから選択された第１の副変調コードと、所定の位相変調要素の一つの第２のセットから選択された第２の副変調コードとを含み、前記第２のセットの前記所定の位相変調要素のうちの少なくとも一つは高速ＩＥＥＥ８０２．１１標準に定義されるような複素数値であり、相関法によって受信信号と相関する変調コードが前記変調コードから選ばれる前記方法において、
該方法は少なくとも次のステップ：
・ａ  第１の相関結果を得、そして相関結果を選択するために、受信信号を可能な第１の副変調コードの各々と相関させるステップ；
・ｂ  第２の相関結果を得るために、可能な第２の副変調コードの各々について、選択された第１の相関結果を前記可能な第２の副変調コードの一つで位相変調するステップ；
・ｃ  該第２の相関結果から最大の第２の相関結果を選択するステップ；
・ｄ  該第１及び第２の相関結果の組み合わせに基づいて受信信号の記号を選択するステップ、
を有することを特徴とする、受信信号から記号を検知する方法。
【請求項２】
ステップａにおいて、各第１の相関結果について相関結果の関数値が決定され、続いて最大の関数値を与える第１の相関結果が選択される方法であって、該関数が第２の複変調コードの変調形式によって決定されることを特徴とする、請求項１による方法。
【請求項３】
該関数が第１の相関結果の実数および／または虚数部分の関数であることを特徴とする、請求項２による方法。
【請求項４】
ステップａにおいて得られる第１の変調結果の数はＣ１*Ｃ２*・・*Ｃｉ−１*Ｃｉ*Ｃｉ＋１*・・*Ｃｎ個に等しく、ここにおいてＣｉは複数の第１のセットのうちのｉ番目の第１のセットの要素の数であることを特徴とする、先行するいずれかの請求項による方法。
【請求項５】
第２の相関結果を得るために、ステップｂにおいて、第１のサブステップでは、選択された第１の相関結果が複数の前記可能な第２の副変調コードの各々で位相変調され、第２のサブステップでは、第１のサブステップで得られた結果から実数値が決定されることを特徴とする、先行するいずれかの請求項による方法。
【請求項６】
ステップｃで得られる第２の変調結果の数が、第２のセットの所定の位相変調要素の数に等しいことを特徴とする、先行するいずれかの請求項による方法。
【請求項７】
ステップｃにおいて第２のセットの所定の位相変調要素が選択され、これが選択された第２の相関結果を与えることを特徴とする、先行するいずれかの請求項による方法。
【請求項８】
ステップｄにおいて第１のセットの所定の位相変調要素が選択され、これが選択された第１の相関結果を与えることを特徴とする、先行するいずれかの請求項による方法。
【請求項９】
受信信号中の記号を得るために、ステップｄにおいて、第２のセットの選択された所定の位相変調要素と第１のセットの所定の位相変調要素とが組み合わされることを特徴とする、請求項７または８による方法。
【請求項１０】
ステップａにおいて、複数の相関器を含む第１の相関器バンクが用いられ、この相関器の数が第１の相関結果の数に等しいことを特徴とする、先行するいずれかの請求項による方法。
【請求項１１】
ステップｂにおいて、複数の相関器からなる第２の相関器バンクが用いられ、この相関器の数が第２の相関結果の数に等しいことを特徴とする、先行するいずれかの請求項による方法。
【請求項１２】
受信信号から記号を検知するための装置であって、該装置において、記号は複数の記号の所定セットから選択された記号であり、該所定のセットの各記号はチップのシーケンスを含むＣＣＫ記号であり、各々のチップは選択された変調コードによってＰＳＫ変調されており、選択された各変調コードは所定の位相変調要素の複数の第１のセットから選択された第１の副変調コードと、所定の位相変調要素の一つの第２のセットから選択された第２の副変調コードとを含み、前記第２のセットの前記所定の位相変調要素のうちの少なくとも一つは高速ＩＥＥＥ８０２．１１標準に定義されるような複素数値であり、前記装置は受信信号を相関法によって前記複数の変調コードと相関させるための相関手段と、前記複数の変調コードから相関に基づいて１つの変調コードを選択するための手段とを有する前記装置において、
該装置は：
・  第１の相関結果を得るために、受信信号を複数の可能な第１の副変調コードの各々と相関させる第１の相関器バンクと；
・  複数の第１の相関結果から１つの第１の相関結果を選択するための第１の選択手段と；
・  第２の相関結果を得るために、各々の可能な第２の副変調コードについて、第１の相関結果を前記可能な第２の副変調コードの一つで位相変調するための第２の相関器バンクと；
・  複数の第２の相関結果から最大の第２の相関結果を選択するための第２の選択手段と；
・  第１の相関結果に基づいて第１の選択手段を制御するための手段を有する制御ユニットと；
・  第１及び第２の相関結果に基づいて受信信号の記号を選択するための第３の選択手段と、
を有することを特徴とする、受信信号から記号を検知するための装置。
【請求項１３】
前記制御ユニットは各第１の相関結果について相関結果の関数値を決定し、関数は第２の副変調コードの変調形式によって決定され、前記制御ユニットは続いて該関数の最大値に基づいて前記第１の選択手段を制御し、かくして該第１の選択手段によって対応する第１の相関結果が選択されて第２の相関器バンクに渡されることを特徴とする、請求項１２による装置。
【請求項１４】
該関数は第１の相関結果の実数および／または虚数部分の関数であることを特徴とする、請求項１３による装置。
【請求項１５】
前記第１の相関器バンクによって得られる第１の相関結果の数はＣ１*Ｃ２*・・*Ｃｉ−１*Ｃｉ*Ｃｉ＋１*・・*Ｃｎ個に等しく、ここにおいてＣｉは複数の第１のセットのｉ番目の第１のセットの要素の数であることを特徴とする、請求項１２ないし１４のいずれか１項による装置。
【請求項１６】
前記第２の相関器バンクは、選択された第１の相関結果を複数の前記可能な第２の副変調コードの各々で位相変調して位相変調結果を得るための手段を有すると共に、第２の相関結果を得るために得られた位相変調結果の実数値を決定する手段を有することを特徴とする、先行する請求項１２ないし１５のいずれか１項による装置。
【請求項１７】
前記第２の相関結果の数が第２のセットの所定の位相変調要素の数に等しいことを特徴とする、先行する請求項１２ないし１６のいずれか１項による装置。
【請求項１８】
前記第３の選択手段が第２のセットの所定の位相変調要素を選択し、これが選択された第２の相関結果を与えることを特徴とする、先行する請求項１２ないし１７のいずれか１項による装置。
【請求項１９】
前記第３の選択手段が第１のセットの所定の位相変調要素を選択し、これが選択された第１の相関結果を与えることを特徴とする、先行する請求項１２ないし１８のいずれか１項による装置。
【請求項２０】
受信信号の記号を得るために前記第３の選択手段が第２のセットの選択された所定の位相変調要素と、第１のセットの選択された所定の位相変調要素とを組み合わせることを特徴とする、先行する請求項１８または１９による装置。
【発明の詳細な説明】
【０００１】
本発明は、受信信号から記号を検知する方法に関するものであり、ここにおいて記号は所定の記号のセットから選択された記号であり、ここにおいて該所定のセットの各記号はチップのシーケンスからなるＣＣＫ記号であり、各チップは選択された変調コードによってＰＳＫ変調されており、選択された各変調コードは所定の位相変調要素の複数の第１のセットから選択された第１の副変調コードと、所定の位相変調要素の一つの第２のセットから選択された第２の副変調コードとからなり、前記第２のセットの前記所定の位相変調要素のうちの少なくとも一つは高速ＩＥＥＥ８０２．１１ｂ標準に定義されるような複素数値であり、ここにおいて変調コードは相関法によって前記受信信号と相関する前記変調コードから選ばれる。
【０００２】
本発明はまた受信信号から記号を検知するための装置に関し、ここにおいて記号は所定の記号のセットから選択された記号であり、該所定のセットの各記号はチップのシーケンスからなるＣＣＫ記号であり、各々のチップは選択された変調コードによってＰＳＫ変調されており、各々の選択された変調コードは所定の位相変調要素の複数の第１のセットから選択された第１の副変調コードと、所定の位相変調要素の一つの第２のセットから選択された第２の副変調コードとからなり、前記第２のセットの前記所定の位相変調要素のうちの少なくとも一つは高速ＩＥＥＥ８０２．１１ｂ標準に定義されるような複素数値であり、前記装置は受信信号を相関法によって前記変調コードと相関させるための相関手段と、複数の前記変調コードから相関に基づいて１つの変調コードを選択するための手段とを有する。
【０００３】
この種の方法および装置は実用上、公知である。通常、この種の方法および装置は受信器に用いられる相関器のバンクを用いている。相関器のバンクで行われた受信信号との相関の結果に基づいて、受信信号の記号を検知することができる。この検知においては、各相関器からの出力は数学的関数の入力引数である。該数学的関数は最大関数に対応する相関器に対して最大となる。所定の複数の記号のセットを用いる前記方法および装置によれば、記号検知は受信信号中のノイズに対する感度を最低にするような方法で行われてもよい。可能な所定の記号のセットの例はＩＥＥＥ８０２．１１ｂ標準の高速標準に示されている。このＩＥＥＥ８０２．１１ｂ標準は特に米国において工業科学医学帯域（ＩＳＭＢ帯域）とも呼ばれる２．４ＧＨｚの帯域に指向されたものである。これに相当する帯域は世界の他の殆どの地域で使用可能であることが注目される。使用者は標準案の標準に準拠すれば自由にＩＳＭＢ帯域にアクセスできる。標準案の第１の重要な特徴は、用いられる各記号が比較的フラットな周波数強度スペクトルを有しており、他の使用者にジャムを起こさせる恐れが少ないことである。 ＩＥＥＥ８０２．１１ｂ標準の第２の重要な特徴は、所定の複数の記号のセット中の全ての可能な記号が用いられることはないということである。結果として冗長かつロバストな検知機構が得られる。
【０００４】
受信信号の記号を検知する公知の方法および装置の第１の欠点は、相関器バンクに用いられる相関器の数が多いことである。この種の公知の方法および装置の第２の欠点は、相関器バンクで相関器を選択するのに用いられ、各相関器の複素数出力を処理するための数学的関数を演算するのに大きな処理能力が必要なことである。この数学的関数は通常、複素数入力引数の長さを計算するが、これは相関器ごとに少なくとも二つの乗算につながる。処理能力を低減するために前記数学的関数の近似法がいくつか提案されている。しかしながらこれらの近似法の検知性能は最適とは言えなかった。
【０００５】
本発明の目的は相関器バンク中の相関器の数を減らすことである。本発明の目的はまた前記数学的関数の評価に必要な処理能力を低減することである。さらに、本発明の目的は最適な検知性能を得ることである。より具体的には、本発明の目的は、相関器の数を減らし、数学的関数に要求される処理能力を低減しながらも最尤検知法の性能を与える検知法を提供することである。最後に、本発明はＩＥＥＥ８０２．１１標準に準拠する受信信号に用いることのできる、上記の利点を有する方法を求めるものである。このために、本発明による方法は少なくとも下記のステップを有することを特徴とする：
・ａ  第１の相関結果を得、そして相関結果を選択するために受信信号を複数の可能な第１の副変調コードの各々と相関させるステップ；
・ｂ  第２の相関結果を得るために、選択された第１の相関結果を、各々の可能な第２の副変調コードについて、前記可能な第２の副変調コードの一つで位相変調するステップ；
・ｃ  該第２の相関結果から最大の第２の相関結果を選択するステップ；
・ｄ  第１及び第２の相関結果の組み合わせに基づいて受信信号の記号を選択するステップ。
【０００６】
本発明による方法において、相関法の二つの主要な部分が区別される。第１の部分では第１の相関結果が決定され、第２の部分では第２の相関結果が決定される。第２の相関結果は一つの選択された第１の相関結果を複素平面のいくつかの位置に回転させることによって得られる。この第２の部分は一つの選択された第１の相関結果を処理することのみを含むことから、各第１の相関結果を複素平面で回転させなければならない状況に比較して、所要処理能力の低減につながる。
【０００７】
本発明による方法の他の実施例は、ステップａにおいて、各第１の相関結果について相関結果の関数値が決定され、続いて最大の関数値を与える第１の相関結果が選択され、ここにおいて、該関数は第２の副変調コードの変調形式によって決定される。好ましくは、該関数は第１の相関結果の実数および／または虚数部分の関数である。この関数の評価は、複素相関結果の長さを計算する従来の関数よりも要求される処理能力が低いが、それでも、最適な最尤検知記号を引き出す。
【０００８】
本発明による方法の有利な実施例において、ステップａで得られる第１の変調結果の数は、Ｃｉを複数の第１のセットのうちのｉ番目の第１のセットの要素の数とすると、Ｃ１*Ｃ２*・・*Ｃｉ−１*Ｃｉ*Ｃｉ＋１*・・*Ｃｎに等しく、そして好ましくは、ステップｃで得られる第２の変調結果の数は、第２のセットの所定の位相変調要素の数に等しい。
【０００９】
本発明による方法の他の実施例は、ステップｂにおいて、第１のサブステップでは、選択された第１の相関結果が前記可能な第２の副変調コードの各々で位相変調され、第２のサブステップでは、第１のサブステップで得られた結果から実数値が決定され、かくして第２の相関結果が得られることを特徴とする。
【００１０】
本発明による実施例によれば、ステップｃにおいて、第２のセットの１つの所定の位相変調要素が選択され、これが選択された第２の相関結果を与え、そして、ステップｄにおいて第１のセットの所定の位相変調要素が選択され、これが選択された第１の相関結果を与える。本方法の他の実施例は、第２のセットの選択された所定の位相変調要素と第１のセットの所定の位相変調要素が組み合わされ、かくして受信信号の記号が得られることを特徴とする。
【００１１】
本発明の方法の更なる実施例においては、ステップａにおいて、複数（多数）の相関器を有する第１の相関器バンクが用いられ、この相関器の数は第１の相関結果の数に等しく、そして、ステップｂにおいて、複数（多数）の相関器を有する第２の相関器バンクが用いられ、この相関器の数は第２の相関結果の数に等しい。
【００１２】
本発明による装置は下記の各手段を有することを特徴とする：
・  第１の相関結果を得るために、受信信号を各々の可能な第１の副変調コードと相関させる第１の相関器バンク；
・  第１の相関結果から１つの第１の相関結果を選択するための第１の選択手段；
・  第２の相関結果を得るために、可能な第２の副変調コードの各々について、第１の相関結果を前記可能な第２の副変調コードの一つにより位相変調する第２の相関器バンク；
・  第２の相関結果から最大の第２の相関結果を選択するための第２の選択手段。
・  第１の相関結果に基づいて第１の選択手段を制御するための手段を有する制御ユニット；
・  第１と第２の相関結果に基づいて受信信号の記号を選択するための第３の選択手段。
【００１３】
本発明の装置の有利な実施例において、第３の選択手段が第２のセットの所定の位相変調要素を選択し、これが選択された第２の相関結果を与え、そして、第３の選択手段は、複数の第１のセットの複数の所定の位相変調要素を選択し、これが複数の選択された第１の相関結果を与える。好ましくは、本発明の装置の第３の選択手段は、第２のセットの選択された所定の位相変調要素と、第１のセットの複数の選択された所定の位相変調要素を組み合わせ、かくして受信信号の記号を得る。
【００１４】
添付の図面に、本発明を実施するいくつかの形態を図示した。
【００１５】
受信信号から記号を検知するための本発明による装置２の実施例が概念的に第１図に示されている。装置２は、入力信号８に基づいて複数の第１の相関結果６．ｍ（ｍ＝１，２，・・，Ｍ）を得るための第１の相関器バンク４と、第１の相関結果の一つを選択するための第１の選択手段１０を有している。さらに装置２は、選択された第１の相関結果１４を受け取り、そして第２の相関結果１６．ｋ（ｋ＝１，２，・・，Ｋ）を発生する第２の相関器バンク１２を有している。装置２はまた第２の相関結果の一つを選択するための第２の選択手段１８、第１の選択手段１０を制御するための制御ユニット２０、および検知記号を選択するための第３の選択手段２２を有している。第３の選択手段２２は、第１の相関器バンク４の相関器２４．ｍに対応する選択された第１の相関結果６．ｍと、第２の相関器バンク１２の相関器２６．ｋに対応する選択された第２の相関結果１６．ｋとに基づいて検知記号を選択する。第３の選択手段は選択された相関器２４．ｍに関する情報を有する入力信号２８と、選択された相関器２６．ｋに関する情報を有する入力信号３０を受け取る。出力信号３２は受信信号８からの検知記号に関する情報を有する。第１の選択手段１０は一種のスイッチを有しており、該スイッチは相関器２４．ｍ（ｍ＝１，２，・・，Ｍ）のいずれか一つの相関器の出力を第２の相関器バンク１２に接続することができる。スイッチ３４は第１の相関結果６．ｍ（ｍ＝１，２，・・，Ｍ）に基づく制御信号３６で制御される。
【００１６】
受信信号８からの記号は所定の記号のセットから選択されたものであり、該所定のセットの各記号はコンプレメンタリー・コーデッド・キーイング記号（略してＣＣＫ記号）である。 ＣＣＫ記号はチップのシーケンスからなり、各チップはフェーズ・シフト・キーイング変調（略してＰＳＫ変調）されている。 ＰＳＫ変調は選択された変調コードに基づいており、選択された変調コードの各々は所定の位相変調要素の複数の第１のセットから選択された第１の副変調コードと、所定の位相変調要素の一つの第２のセットから選択された第２の副変調コードとからなる。前記第２のセットの所定の位相変調要素の少なくとも一つは複素数値である。
【００１７】
第２図は所定の複数の記号のセットからの記号３８の例を示しており、該記号３８は８個のチップ４０からなっており、各チップは位相変調されている。この位相変調はｓ１からｓ８までの複素数で定義される。これらの複素数を用いて、記号３８はｓ＝［ｓ１，ｓ２，・・，ｓ８］Ｔなるベクトル表記で表すことができる。高速ＣＣＫ記号３８のセットの例は高速ＩＥＥＥ８０２．１１ｂ標準に次のように与えられている：
【数１】
0003896826.tif 000002
ただしｊは複素数であり、所定の位相変調要素ｅｊψ１、 ｅｊψ２、 ｅｊψ３、 ｅｊψ４は所定の値のセットをとることができる。これらの所定の位相変調要素は３個の第１のセットと１個の第２のセットに分けられる。３個の第１のセットは所定の位相変調要素ｅｊψ２、 ｅｊψ３、 ｅｊψ４を含み、第２のセットは所定の位相変調要素ｅｊψ１を含む。
【００１８】
３個の第１のセットの所定の位相変調要素はそれぞれ次のように定義される：
【数２】
0003896826.tif 000003
ただしψ２、ψ３、ψ４はそれぞれの所定の位相変調要素の位相パラメータである。位相パラメータはそれぞれの位相変調要素の可能な値を定義する。位相パラメータは限定された値のセットから一つの値しか取ることができない。高速ＩＥＥＥ８０２．１１ｂ標準に関してはこのセットは次のように定義される：
【数３】
0003896826.tif 000004
【００１９】
いわゆる５．５Ｍｂｉｔ／秒フォールバックレートは異なるセットに対応しており、該セットは次式（IIＢ）で定義される：
【数４】
0003896826.tif 000005
【００２０】
第２のセットにおける所定の位相変調要素は次のように定義される：
【数５】
0003896826.tif 000006
ただしψ１は位相パラメータである。位相パラメータψ１は次の値のセットから一つの値を取ることができる：
【数６】
0003896826.tif 000007
【００２１】
ＣＣＫ記号のセットの変調コードは、第１のセット（II）および第２のセット（III）からの位相変調要素の値の組み合わせから導かれる。式（Ｉ）から、位相変調要素ｅｊψ１は記号（Ｉ）の全てのチップに共通の要素であることが導かれる。
【００２２】
記号（Ｉ）の変調コードは第１の副変調コードと第２の副変調コードに分けられる。第１の副変調コードｓ１は次の第１のセットの所定の位相変調要素の式で定義される：
【数７】
0003896826.tif 000008
ただしｓ１は（IIＡ、IIＢ）で定義される可能な値の組み合わせのセットからの、一つの特定の値の組み合わせを表す８次元ベクトルである。第１の副変調コードに可能な値の組み合わせの数はＣ１*Ｃ２*・・*Ｃｉ−１*Ｃｉ*Ｃｉ＋１*・・*Ｃｎに等しく、ここにＣｉはｎ個の第１のセット中のｉ番目の第１のセットの要素の数である。この例ではｎ＝３、Ｃ１＝２、Ｃ２＝１、Ｃ３＝２であるから、第１の副変調コードに可能な値の組み合わせの数は４個である。この例では第１の相関器Ｍの数は第１の副変調コードの可能な値の組み合わせの数に等しい。
【００２３】
第２の副変調コードｓ２は次式で与えられる：
【数８】
0003896826.tif 000009
ただしｓ２は第２の副変調コードとして可能な値のセットからの１個の特定の値であり、該セットは（IIIＡ，IIIＢ）で定義される。これらの可能な値は第３図に示されている。この図において値４２．１から４２．４までは実数軸Ｒｅ４６および虚数軸Ｉｍ４８からなる複素数座標系４４に示されている。第２の副変調コードは記号（Ｉ）の全てのチップに共通の変調である。
【００２４】
ＣＣＫ記号（Ｉ）のセットは前述したように一つのサンプルに過ぎないことが強調される。記号毎のチップ数の違いおよび変調コードの違いにより、様々な記号のセットが選択され得る。しかしながら、第２の変調コードにおいて常に少なくとも１個の値は複素数である。
【００２５】
各相関器２４．ｍ（ｍ＝１，２，・・，Ｍ）が受信信号８を可能な第１の副変調コードｃ１（IV）の一つと相関する。相関器の数は第１の副変調コードの数（＝Ｃ１*Ｃ２*・・*Ｃｉ−１*Ｃｉ*Ｃｉ＋１*・・*Ｃｎ）に等しい。相関は整合フィルターとして行われる。これは相関器２４．ｍの出力信号が次の複素数内積で与えられることを意味する：
【数９】
0003896826.tif 000010
ただし、Ｃｏｒｍは複素数スカラー値、
【数１０】
0003896826.tif 000011
はＭ次元ベクトルｓ１ｍの複素数共役であり、ｓ１ｍは相関器２４．ｍに対応する第１の副変調コードのｍ番目の第１の副変調コードであり、ｒはＭ次元の受信信号８であり、｛｝・｛｝はその引数間の副素数内積である。このようにして各第１の相関器２４．ｍは第１の相関結果６．ｍ（ｍ＝１，２，・・，Ｍ）を与える。これらＭ個の第１の相関結果は制御ユニット２０に渡される。次いで制御ユニットは各第１の相関結果６．ｍについて相関結果の関数の値を決定する。この関数は第２の副変調コードの変調形式によって予め決められている。変調の形式は（IIIＢ）および（Ｖ）で定義される。この関数は第１の相関結果の実数部分および／または虚数部分の関数であり、これによって受信信号の記号に組み込まれている第１の副変調コードの位相変調要素の値が選択される。この関数は第１に最尤検知記号をもたらし、第２に所要処理時間の最少化をもたらす。（（IIIＢ）および（Ｖ）で定義される）選択された第２の副変調の形式に関して、この最適の関数Ｃｒｉｔ１は次式で与えられる：
【数１１】
0003896826.tif 000012
ただし関数Ｍａｘ（  ）はその入力引数の最大値を選択し、関数｜（  ）｜はその入力引数の絶対値を与え、関数Ｒｅ（  ）はその複素数入力引数の実数部分を与え、関数Ｉｍ（  ）はその複素数入力引数の虚数部分を与える。次いで、制御ユニット２０は、対応する第１の相関結果６．ｍが第１の選択手段１０によって選択され、第２の相関器バンク１２に渡されるように、関数（VII）の最大値に基づいて第１の選択手段１０のスイッチ３４を制御する。更に、この制御ユニットは所定の位相変調要素
【数１２】
0003896826.tif 000013
（これらは選択された相関器に対応する第１の副変調コードに属する選択された位相パラメータ
【数１３】
0003896826.tif 000014
に対応する）をセット（II）から選択する。次いで、相関器のこの第１の副変調コード６．ｍを有する信号２８が、制御ユニット２０によって第３の選択手段２２に渡される。
【００２６】
第２の相関器バンク１２は選択された第１の変調信号１４を受け取り、続いてこの信号に第２の副変調コード（Ｖ）に基づいて位相変調をほどこす。各第２の相関器２６．ｋ（ｋ＝１，・・，Ｋ）は、式（III）および式（Ｖ）からの第２の副変調コードｃ２の値の一つに対応する位相変調を行う。これらの位相変調の結果は第２の相関結果１６．ｋ（ｋ＝１，・・，Ｋ）である。この例ではＫ＝４である。第２の相関結果は第２の選択手段１８に渡される。選択手段１８は所定の位相変調要素
【数１４】
0003896826.tif 000015
を選択する。この要素は相関器２６．ｋの第２の副変調コードに対応しており、これについては次式の関数Ｃｒｉｔ２が最大である：
【数１５】
0003896826.tif 000016
ただしＣｏｒｍは選択された第１の相関結果であり、ｃ２は式（Ｖ）からの第２の副変調コードである。関数Ｃｒｉｔ２を計算することによって第２の相関結果が得られる。（VIII）の帰結として、第２の相関結果の数は第２のセットの位相パラメータψ１（IIIＢ）の可能な値の数に等しい。Ｃｒｉｔ２が最大となる第２の副変調コードの所定の位相変調要素ｅψ１が出力信号３０である。
【００２７】
第３の選択手段２２は、選択された第２の副変調結果を与えるところの第２のセットの選択された所定の位相変調要素ｅψ１を有する信号３０と、選択された第１の副変調結果を与えるところの第１のセットの選択された所定の位相変調要素
【数１６】
0003896826.tif 000017
を有する信号２８を受け取る。信号２８と信号３０および式（Ｉ）に基づいて、第３の選択手段２２は受信信号８から次のような検知記号を決定することができる：
【数１７】
0003896826.tif 000018
【００２８】
本発明による装置２は位相パラメータψ１の値のセット（IIIＢ）については、式（Ｖ）で与えられる第２の副変調に限定されない。発明の範囲から逸脱することなく、対応する関数Ｃｒｉｔ１を有する様々な形式の第２の副変調コードが用いられ得る。いくつかの限定的でない例を以下に示す。
【００２９】
例１．第２の副変調コードｓ２は次式のように定義される：
【数１８】
0003896826.tif 000019
これに関し、位相パラメータψ１は、次のセットの値を取り得る：
【数１９】
0003896826.tif 000020
ただし第２の相関器バンク１２における第２の相関器の数Ｋ＝４である。対応する関数Ｃｒｉｔ１は次式で与えられる：
【数２０】
0003896826.tif 000021
ただしＣｏｒｍは選択された第１の相関結果である。
【００３０】
例２．  第２の副変調コードｓ２は次のように定義される：
【数２１】
0003896826.tif 000022
これに関し位相パラメータψ１は次のセットの値を取り得る：
【数２２】
0003896826.tif 000023
ただし第２の相関器バンク１２における第２の相関器の数Ｋ＝８である。対応する関数Ｃｒｉｔ１は次式で与えられる：
【数２３】
0003896826.tif 000024
ただしＣｏｒｍは選択された第１の相関結果である。
【００３１】
例３．  第２の副変調コードｓ２は次のように定義される：
【数２４】
0003896826.tif 000025
これに関し位相パラメータψ１は次のセットの値を取り得る：
【数２５】
0003896826.tif 000026
ただし第２の相関器バンク１２における第２の相関器の数Ｋ＝１６であり、対応する関数Ｃｒｉｔ１は次式で与えられる：
【数２６】
0003896826.tif 000027
ただしＣｏｒｍは選択された第１の相関結果である。
【００３２】
特許法の規定にしたがい、本発明をその好ましい実施の形態と見なされる例によって説明した。しかしながら、本発明はここに具体的に図示説明したのとは異なる形で、発明の主旨および範囲から逸脱することなく実施され得ることに留意すべきである。例えば、第１および／または第２の副変調コードにおいて、位相変調を振幅変調と組み合わせることが可能である。
【図面の簡単な説明】
【図１】第１図は、受信信号から記号を検知するための本発明の装置の実施の形態を概念的に示した図である。
【図２】第２図は受信信号からの記号の例を示す概念図である。
【図３】第３図は第２図の記号中のチップに対する第２の副変調コードを説明する、複素平面における座標系である。
【図１】
0003896826.tif 000028
【図２】
0003896826.tif 000029
【図３】
0003896826.tif 000030